(57)【要約】      （修正有）【課題】構造が簡単で、端子間の距離が広く、ショートや、芯が傷つくなどの現象が発生することがないＬＶＤＳインタフェイスを提供する。【解決手段】本体と、端子と、芯固定ゴムと、上方排列体と、下方排列体とを含んでなり、端子は本体の内部に挿入して設けられ、一端が本体の外部に延伸し、他端が一列に排列して分布し、端子の一端をそれぞれ芯固定ゴムの上下両面の設置空間内に挿入し、上部ケースと下部ケースはいずれも配線溝が設けられ、隣接する二つの配線溝の間には隔離板が設けられ、上部ケースの隔離板は下部ケースの配線溝の内部に挿入され、下部ケースの隔離板は上部ケースの配線溝の内部に挿入され、インタフェイス上の芯線はそれぞれ上部ケースと下部ケースの配線溝の底部に固定され、上部ケースと下部ケースとが固定した芯線がそれぞれ芯固定ゴム両面の設置空間内に挿入され、芯線がそれぞれ設置空間内の端子に対応する。【選択図】図１
0003142456.tif 000002
【実用新案登録請求の範囲】
【請求項１】
本体と、端子と、芯固定ゴムと、上方排列体と、下方排列体を含んでなり、
該端子は、本体の内部に挿入して設けられ、一端が本体の外部に延伸し、他端が一列に排列して分布し、
該芯固定ゴムは、本体の一端に接続し、上下両面にそれぞれ設置空間が設けられ、端子の一端をそれぞれ芯固定ゴムの上下両面の設置空間内に挿入し、
該上部ケースと下部ケースは、いずれも配線溝が設けられ、隣接する二つの配線溝の間には隔離板が設けられ、上部ケースの隔離板は、下部ケースの配線溝の内部に挿入され、下部ケースの隔離板は、上部ケースの配線溝の内部に挿入され、インタフェイス上の芯線はそれぞれ上部ケースと下部ケースの配線溝の底部に固定され、上部ケースと下部ケースとを対応して組み合わせると、芯固定ゴムの一端に接続され、上部ケースと下部ケースとが固定した芯線がそれぞれ芯固定ゴム両面の設置空間内に挿入され、芯線がそれぞれ設置空間内の端子一つ一つに対応することを特徴とする、ＬＶＤＳインタフェイス。
【請求項２】
前記端子の一端が、上下に二列に排列されるとともに、上方列の端子と下方列の端子とが水平に分離することを特徴とする、請求項１に記載のＬＶＤＳインタフェイス。
【請求項３】
前記芯固定ゴムは、上下両面にはそれぞれ芯線を排列するための溝が設けられることを特徴とする、請求項１に記載のＬＶＤＳインタフェイス。
【請求項４】
前記上部ケースの配線溝の上端には上端縁部が大きく、下端縁部が小さい階段状の開口が設けられ、該配線溝の下端は円弧状の芯の収納空間であって、配線溝の中間には内側に突出した凸部が設けられることを特徴とする、請求項１に記載のＬＶＤＳインタフェイス。
【請求項５】
前記下部ケースの配線溝には上端縁部が大きく、下端縁部が小さい階段状の開口が設けられ、該配線溝の下端は円弧状の芯の収納空間であって、配線溝の中間には内側に突出した凸部が設けられることを特徴とする、請求項１に記載のＬＶＤＳインタフェイス。
【請求項６】
前記該上部ケースには、少なくとも一以上の隔離板が設けられた側面上に、外側に凸出した係止点か、或いは内側に凹んだ係止部が設けられ、下部ケースの隔離板に対応する側面には、対応して内側に凹んだ係止部か、或いは外側に凸出した係止点が設けられることを特徴とする、請求項１に記載のＬＶＤＳインタフェイス。
【請求項７】
前記上部ケースにガイド柱が設けられ、該ガイド柱に対応して下部ケースに位置決め孔が設けられることを特徴とする、請求項１に記載のＬＶＤＳインタフェイス。
【請求項８】
前記芯固定ゴムの一端にはガイド柱が設けられ、該ガイド柱に対応して上部ケースに貫通孔が設けられることを特徴とする、請求項１に記載のＬＶＤＳインタフェイス。
【請求項９】
前記端子の一端が下方に延伸した湾曲部を具えてなり、該端子の湾曲部が本体の一端の溝の内部に挿設されることを特徴とする、請求項１に記載のＬＶＤＳインタフェイス。
【請求項１０】
前記本体両端の内側にはレールが設けられ、芯固定ゴムの両側には溝が形成され、レールが溝の内部に挿設されることを特徴とする、請求項１に記載のＬＶＤＳインタフェイス。
【考案の詳細な説明】
【技術分野】
【０００１】
この考案は、ＬＤＶＳインタフェイスに関し、特に低電圧の差動伝送を行い、端子が上下二列に排列されたＬＶＤＳインタフェイスに関する。
【背景技術】
【０００２】
液晶ディスプレスであるＬＣＤ（Ｌｉｑｕｉｄ  Ｃｒｙｓｔａｌ  Ｄｉｓｐｌａｙ）と、マザーボードは通常、低ノイズで低圧差動方式の信号を受信するＬＶＤＳ（Ｌｏｗ  Ｖｏｌｔａｇｅ  Ｄｉｆｆｅｒｅｎｔｉａｌ  Ｓｉｇｎａｌ）を信号の伝送するためのインタフェイスとしている。
【０００３】
ＬＶＤＳインタフェイスは、ＦＩ−Ｘ、ＦＩ−Ｒ、ＦＩ−Ｅなどのデジタルインタフェイスを含んでなる。従来のＬＶＤＳインタフェイスは、本体、端子などの部材を含んでなる。該端子は、本体内部に挿設され、一端が本体の外部に延伸しているため、端子と芯とをはんだ接続するために便利で、他端が本体のインタフェイス内部に設けられる。
【０００４】
しかしながら、現在、ＬＶＤＳインタフェイスの端子は、一端が一列に配列され、他端も一列に配列されている。標準的な規格の制限により、隣接する端子との隙間が非常に小さい。よって、はんだ接続の加工が難しく、はんだ接続の時に芯が熱で傷つき易い、且つはんだ接続の加工を行った後、端子間の接触不良などの現象がしばしば発生し、製品の不良品率が高い。
【考案の開示】
【考案が解決しようとする課題】
【０００５】
この考案は、構造が簡単で、端子間の距離が広く、ショートなどの現象や、芯が傷つくなどの現象が発生することがないＬＶＤＳインタフェイスを提供することを課題とする。
【課題を解決するための手段】
【０００６】
そこで、本考案の考案者は従来の技術に見られる欠点に鑑みて鋭意研究を重ねた結果、本体と、端子と、芯固定ゴムと、上方排列体と、下方排列体を含んでなり、
該端子は、本体の内部に挿入して設けられ、一端が本体の外部に延伸し、他端が一列に排列して分布し、
該芯固定ゴムは、本体の一端に接続し、上下両面にそれぞれ設置空間が設けられ、端子の一端をそれぞれ芯固定ゴムの上下両面の設置空間内に挿入し、
該上部ケースと下部ケースは、いずれも配線溝が設けられ、隣接する二つの配線溝の間には隔離板が設けられ、上部ケースの隔離板は、下部ケースの配線溝の内部に挿入され、下部ケースの隔離板は、上部ケースの配線溝の内部に挿入され、インタフェイス上の芯線はそれぞれ上部ケースと下部ケースの配線溝の底部に固定され、上部ケースと下部ケースとを対応して組み合わせると、芯固定ゴムの一端に接続され、上部ケースと下部ケースとが固定した芯線がそれぞれ芯固定ゴム両面の設置空間内に挿入され、芯線がそれぞれ設置空間内の端子一つ一つに対応する。
【０００７】
以下、この考案について具体的に説明する。
請求項１に記載するＬＶＤＳインタフェイスは、本体と、端子と、芯固定ゴムと、上方排列体と、下方排列体と、を含んでなり、
該端子は、本体の内部に挿入して設けられ、一端が本体の外部に延伸し、他端が一列に排列して分布し、
該芯固定ゴムは、本体の一端に接続し、上下両面にそれぞれ設置空間が設けられ、端子の一端をそれぞれ芯固定ゴムの上下両面の設置空間内に挿入し、
該上部ケースと下部ケースは、いずれも配線溝が設けられ、隣接する二つの配線溝の間には隔離板が設けられ、上部ケースの隔離板は、下部ケースの配線溝の内部に挿入され、下部ケースの隔離板は、上部ケースの配線溝の内部に挿入され、インタフェイス上の芯線はそれぞれ上部ケースと下部ケースの配線溝の底部に固定され、上部ケースと下部ケースとを対応して組み合わせると、芯固定ゴムの一端に接続され、上部ケースと下部ケースとが固定した芯線がそれぞれ芯固定ゴム両面の設置空間内に挿入され、芯線がそれぞれ設置空間内の端子一つ一つに対応する。
【０００８】
請求項２に記載のＬＶＤＳインタフェイスは、請求項１における端子の一端が、上下に二列に排列されるとともに、上方列の端子と下方列の端子とが水平に分離する。
【０００９】
請求項３に記載のＬＶＤＳインタフェイスは、請求項１における芯固定ゴムは、上下両面にはそれぞれ芯線を排列するための溝が設けられる。
【００１０】
請求項４に記載のＬＶＤＳインタフェイスは、請求項１における上部ケースの配線溝の上端には上端縁部が大きく、下端縁部が小さい階段状の開口が設けられ、該配線溝の下端は円弧状の芯の収納空間であって、配線溝の中間には内側に突出した凸部が設けられる。
【００１１】
請求項５に記載のＬＶＤＳインタフェイスは、請求項１における下部ケースの配線溝には上端縁部が大きく、下端縁部が小さい階段状の開口が設けられ、該配線溝の下端は円弧状の芯の収納空間であって、配線溝の中間には内側に突出した凸部が設けられる。
【００１２】
請求項６に記載のＬＶＤＳインタフェイスは、請求項１における該上部ケースには、少なくとも一以上の隔離板が設けられた側面上に、外側に凸出した係止点か、或いは内側に凹んだ係止部が設けられ、下部ケースの隔離板に対応する側面には、対応して内側に凹んだ係止部か、或いは外側に凸出した係止点が設けられる。
【００１３】
請求項７に記載のＬＶＤＳインタフェイスは、請求項１における上部ケースにガイド柱が設けられ、該ガイド柱に対応して下部ケースに位置決め孔が設けられる。
【００１４】
請求項８に記載のＬＶＤＳインタフェイスは、請求項１における芯固定ゴムの一端にはガイド柱が設けられ、該ガイド柱に対応して上部ケースに貫通孔が設けられる。
【００１５】
請求項９に記載のＬＶＤＳインタフェイスは、請求項１における端子の一端が下方に延伸した湾曲部を具えてなり、該端子の湾曲部が本体の一端の溝の内部に挿設される。
【００１６】
請求項１０に記載のＬＶＤＳインタフェイスは、請求項１における本体両端の内側にはレールが設けられ、芯固定ゴムの両側には溝が形成され、レールが溝の内部に挿設される。
【考案の効果】
【００１７】
この考案のＬＶＤＳインタフェイスは、端子間の距離が広く、はんだ接続の加工が行い易いため、ショートや芯を傷つけることがなく、生産コストを削減することができるとともに、製品の品質を高めるという効果を有する。
【考案を実施するための最良の形態】
【００１８】
この考案は、構造が簡単で、端子間の距離が広く、ショートなどの現象や、芯が傷つくなどの現象が発生することがないＬＶＤＳインタフェイスであって、本体と、端子と、芯固定ゴムと、上方排列体と、下方排列体を含んでなり、
該端子は、本体の内部に挿入して設けられ、一端が本体の外部に延伸し、他端が一列に排列して分布し、
該芯固定ゴムは、本体の一端に接続し、上下両面にそれぞれ設置空間が設けられ、端子の一端をそれぞれ芯固定ゴムの上下両面の設置空間内に挿入し、
該上部ケースと下部ケースは、いずれも配線溝が設けられ、隣接する二つの配線溝の間には隔離板が設けられ、上部ケースの隔離板は、下部ケースの配線溝の内部に挿入され、下部ケースの隔離板は、上部ケースの配線溝の内部に挿入され、インタフェイス上の芯線はそれぞれ上部ケースと下部ケースの配線溝の底部に固定され、上部ケースと下部ケースとを対応して組み合わせると、芯固定ゴムの一端に接続され、上部ケースと下部ケースとが固定した芯線がそれぞれ芯固定ゴム両面の設置空間内に挿入され、芯線がそれぞれ設置空間内の端子一つ一つに対応する構造からなる。
かかるＬＶＤＳインタフェイスの構造と特徴を詳述するために具体的な実施例を挙げ、図示を参照にして以下に説明する。
【実施例】
【００１９】
図１から図１０は、この考案のＬＶＤＳインタフェイスのＦＩ−Ｒのデジタルインタフェイスとして示したものである。図面によれば、この考案は、本体１と、端子２と、芯固定ゴム３と、上部ケース４と、下部ケース５と、を含んでなる。
【００２０】
該端子２は、本体１の内部に挿入して設けられ、端子２の一端が本体１の外部に延伸し、端子２の他端が一列に排列して分布し、下方向に延伸して湾曲部２ａを形成する。該端子２の湾曲部は本体１の一端の溝１ａの内部に挿設される。よって、端子２の一端が反り返ることを防ぐことができる。
【００２１】
芯固定ゴム３は、本体１の一端に接続する。該本体１の両端内側にはレール１１が設けられ、芯固定ゴム３の両側には溝１２が形成される。よって、該レール１１を溝１２の内側に挿入して接続する。該レール１１と溝１２とは緊密であるため、本体１と芯固定ゴム３が安定して接続される。
【００２２】
該芯固定ゴム３は上下両面にそれぞれ設置空間６が設けられる。端子２の一端をそれぞれ芯固定ゴム３の上下両面の設置空間６内に挿入する。該端子２の一端にははんだ用のカップが設けられる。該はんだ用のカップは、設置空間６の内部に位置する。
【００２３】
芯固定ゴム３の上下両面にはそれぞれ芯線８を排列するための溝７が設けられる。該溝７は、芯線８を排列し、ガイドするために供する。
【００２４】
芯固定ゴム３は一端にガイド柱３ａが設けられる。上部ケース４にはガイド柱３ａに対応する位置に貫通孔３ｂが設けられる。上部ケース４はガイド柱３ａと貫通孔３ｂのガイドにより芯固定ゴム３の一端に位置決めされ接続される。
【００２５】
また、両者の位置を正確に対応させて、上部ケース４と下部ケース５とが芯線８が芯固定ゴム３内の端子２一つ一つに対応するように固定され、芯線８と端子２との位置がずれることがない。芯線８はそれぞれが端子２の一端のはんだ用のカップに確実に設けられる。
【００２６】
該端子２は一端が上下に二列に排列されるとともに、上方列の端子２と下方列の端子２とが水平に分離して設けられる。端子２は、上下二列に排列されるため、端子２間の距離が増加し、端子２と芯線８とをはんだ接続するときに便利で、はんだ接続の加工を簡単にすることができる。
【００２７】
よって、端子２間にショートなどの現象が発生し難くなるとともに、芯固定ゴム３が熱で傷つくなどの問題も発生し難くなり、製品の品質を向上させることができる。
【００２８】
上部ケース４と下部ケース５はいずれも配線溝９が設けられ、隣接する二つの配線溝９の間には隔離板１０が設けられる。上部ケース４の隔離板１０は、下部ケース５の配線溝９の内部に挿入され、下部ケース５の隔離板１０は、上部ケース４の配線溝９の内部に挿入される。
【００２９】
インタフェイス上の芯線８はそれぞれ上部ケース４と下部ケース５の配線溝９の底部に固定され、上部ケース４と下部ケース５とを対応して組み合わせると、芯固定ゴム３の一端に接続され、上部ケース４と下部ケース５とが固定した芯線８がそれぞれ芯固定ゴム３両面の設置空間６内に挿入される。
【００３０】
芯線８はそれぞれ設置空間６内部の端子２一つ一つに対応する。
【００３１】
上述の上部ケース４の配線溝９の上端には上端縁部が大きく、下端縁部が小さい階段状の開口が設けられる。該配線溝９の下端は円弧状の芯の収納空間であって、配線溝９の中間には内側に突出した凸部が設けられる。
【００３２】
下部ケース５の配線溝９には上端縁部が大きく、下端縁部が小さい階段状の開口が設けられる。該配線溝９の下端は円弧状の芯の収納空間であって、配線溝９の中間には内側に突出した凸部が設けられる。
【００３３】
該上部ケース４と下部ケース５の表面に設けられた階段状の開口は、芯線８を押し圧して配線溝９の内側に設けるために便利で、芯の収納空間は芯線８を収納するために供する。また、その凸部は、配線溝９内部に押し圧した芯線８が配線溝９の外部に飛び出すことを防ぐために供する。
【００３４】
上部ケース４と下部ケース５とは、芯線８を排列し、固定する。上部ケース４と下部ケース５とを対応して挿入する前に、それぞれ対応する芯線８を配線溝９の内部に押し圧し、それぞれの芯線８を並べる。また、それぞれの芯線８を設定した位置に固定する。
【００３５】
該上部ケース４は、複数の隔離板１０が設けられた側面上に、内側に凹んだ係止部１０ａが設けられる。下部ケース５の隔離板１０に対応する側面には、該係止部１０ａに対応して外側に凸出した係止点１０ｂが設けられる。
【００３６】
該上部ケース４と下部ケース５とを対応して挿入すると、下部ケース５の係止点１０ｂが上部ケース４の係止部１０ａ内部に係合され、上部ケース４と下部ケース５とが一体になるように係合される。
【００３７】
上部ケース４にはガイド柱４ａ設けられ、下部ケース５にはガイド柱４ａに対応して位置決め孔４ｂが設けられる。上部ケース４と下部ケース５とがガイド柱４ａと位置決め孔４ｂのガイドと位置決めによりすばやく正確に対応して挿接される。
【００３８】
この考案の実施例のＦＩ−Ｒデジタルインタフェイスは、はんだ接続加工を行う場合、設置空間６に錫鉛棒を設け、はんだ接続用の機械で加熱して錫鉛棒を溶かし、端子２と芯線８とのはんだ接続する。また、端子２それぞれの間にはショートなどの現象が発生することなく、生産効率を高めるとともに、製品の品質が高められるため、生産コストを有効に削減することができる。
【００３９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００４０】
【図１】この考案のＬＶＤＳインタフェイスを示した斜視図
【図２】図１に開示するＬＶＤＳインタフェイスを芯線が突出している側面からみた状態を示した側面図
【図３】図１に開示するＬＶＤＳインタフェイスを上方からみた状態を示した平面図
【図４】図１に開示するＬＶＤＳインタフェイスを長手方向に垂直な側面からみた状態を示した側面図
【図５】この考案のＬＶＤＳインタフェイスを示した分解図
【図６】この考案のＬＶＤＳインタフェイスの芯固定ゴムと下部ケースとを互いに挿入して芯線を固定した状態を示した説明図
【図７】図６に開示する状態を示した分解図
【図８】この考案のＬＶＤＳインタフェイスに端子を挿入した状態を示した斜視図
【図９】図８に開示した状態を別の角度からみた場合を示した斜視図
【図１０】図９に開示した状態を示した側面図
【符号の説明】
【００４１】
１          本体
１ａ        溝
１０        隔離板
１０ａ      係止部
１０ｂ      係止点
１１        レール
１２        溝
２          端子
２ａ        湾曲部
３          芯固定ゴム
３ａ        ガイド柱３ａ
３ｂ        貫通孔
４          上部ケース
４ａ        ガイド柱
４ｂ        位置決め孔
５          下部ケース
６          設置空間
７          溝
８          芯線
９          配線溝
【図１】
0003142456.tif 000003
【図２】
0003142456.tif 000004
【図３】
0003142456.tif 000005
【図４】
0003142456.tif 000006
【図５】
0003142456.tif 000007
【図６】
0003142456.tif 000008
【図７】
0003142456.tif 000009
【図８】
0003142456.tif 000010
【図９】
0003142456.tif 000011
【図１０】
0003142456.tif 000012